(57)【特許請求の範囲】
【請求項１】
複数の摺動凹部（３７）が設けられる回動支持部（２９）を有して型成形される非磁性材料製のケース部材（１９）と、円形の開口部（３０）を有して前記ケース部材（１９）に取付けられるとともに前記ケース部材（１９）とともにケーシング（１８）を構成する非磁性材料製のカバー部材（２０）と、前記開口部（３０）に開口端を臨ませる嵌合凹部（２７）ならびに複数の前記摺動凹部（３７）に対応して配置されて前記回動支持部（２９）側に向けて開放した複数の係合凹部（４０）を有して前記回動支持部（２９）に回動可能に支持される非磁性材料製のロータ（２６）と、複数の前記係合凹部（４０）のうち選択された係合凹部（４０）に係合する係合位置ならびに選択された前記係合凹部（４０）との係合を解除する係合解除位置間での移動を可能とするとともに前記係合位置側に向けて弾発付勢されて複数の前記摺動凹部（３７）のうち選択された摺動凹部（３７）に摺動可能に嵌合される棒状の第１の永久磁石（２８）と、前記嵌合凹部（２７）に位置決め嵌合可能なマグネットキー（３８）とを備え、前記マグネットキー（３８）には、それの前記嵌合凹部（２７）への位置決め嵌合状態で前記第１の永久磁石（２８）を前記係合位置から係合解除位置に駆動する第２の永久磁石（４２）が、該第１の永久磁石（２８）に対応する位置に保持されるマグネット錠において、
前記嵌合凹部（２７）の形状を同一とするとともに、前記摺動凹部（３７）および前記係合凹部（４０）を相互に対応させた前記ケース部材（１９）および前記ロータ（２６）の組み合わせが、前記ロータ（２６）の回動軸線を中心とする１つの仮想円（Ｃ）上に配置される前記摺動凹部（３７）および前記係合凹部（４０）の個数および配置の少なくとも一方が異なるようにして複数組設定されることを特徴とするマグネット錠。
【請求項２】
同一の個数である前記摺動凹部（３７）および前記係合凹部（４０）が前記仮想円（Ｃ）の周方向に相互に異なった位置に配置されるようにして、前記複数組の組み合わせが設定されることを特徴とする請求項１記載のマグネット錠。
【請求項３】
前記仮想円（Ｃ）の周方向に沿う間隔を同一とした４個の前記摺動凹部（３７）および前記係合凹部（４０）が、前記仮想円（Ｃ）の周方向に４５度ずれるようにして２組の前記組み合わせが設定されることを特徴とする請求項２記載のマグネット錠。
【請求項４】
シリンダ錠（１５）の前端中央部に開口されるキー孔（１７）に対応した挿入孔（２１）を有して前記シリンダ錠（１５）のシリンダボディ（１６）に固定される前記ケーシング（１８）内に収納されるとともに、前記挿入孔（２１）を閉鎖する閉鎖位置ならびに前記挿入孔（２１）を開放する開放位置間で作動することを可能としたシャッター板（２４）に、前記ロータ（２６）が連結されることを特徴とする請求項１〜３のいずれかに記載のマグネット錠。
【発明の詳細な説明】
【技術分野】
【０００１】
本発明は、複数の摺動凹部が設けられる回動支持部を有して型成形される非磁性材料製のケース部材と、円形の開口部を有して前記ケース部材に取付けられるとともに前記ケース部材とともにケーシングを構成する非磁性材料製のカバー部材と、前記開口部に開口端を臨ませる嵌合凹部ならびに複数の前記摺動凹部に対応して配置されて前記回動支持部側に向けて開放した複数の係合凹部を有して前記回動支持部に回動可能に支持される非磁性材料製のロータと、複数の前記係合凹部のうち選択された係合凹部に係合する係合位置ならびに選択された前記係合凹部との係合を解除する係合解除位置間での移動を可能とするとともに前記係合位置側に向けて弾発付勢されて複数の前記摺動凹部のうち選択された摺動凹部に摺動可能に嵌合される棒状の永久磁石とを備え、マグネットキーの前記嵌合凹部への位置決め嵌合に応じて前記永久磁石が前記係合位置から係合解除位置に駆動されるマグネット錠に関する。
【背景技術】
【０００２】
シリンダ錠のキー孔へのメカニカルキーの挿入を不能とする閉鎖位置ならびに前記キー孔へのメカニカルキーの挿入を可能とする開放位置間で作動可能なシャッター板を、その閉鎖位置で保持するようにしたマグネット錠が、特許文献１で既に知られている。
【特許文献１】特開２００３−１６１０６１号公報
【発明の開示】
【発明が解決しようとする課題】
【０００３】
ところが、上記特許文献１で開示されるものでは、複数個の摺動凹部および係合凹部が、ロータの回動軸線まわりに等間隔をあけた固定位置に配置されるものであり、このようなマグネット錠においてマグネットキーの種類を多くするには、摺動凹部および係合凹部の個数を増やす必要があり、マグネット錠の大型化およびコスト高を招くことになる。
【０００４】
本発明は、かかる事情に鑑みてなされたものであり、大型化およびコスト高を招くことなくマグネットキーの種類を増加させ得るようにしたマグネット錠を提供することを目的とする。
【課題を解決するための手段】
【０００５】
上記目的を達成するために、請求項１記載の発明は、複数の摺動凹部が設けられる回動支持部を有して型成形される非磁性材料製のケース部材と、円形の開口部を有して前記ケース部材に取付けられるとともに前記ケース部材とともにケーシングを構成する非磁性材料製のカバー部材と、前記開口部に開口端を臨ませる嵌合凹部ならびに複数の前記摺動凹部に対応して配置されて前記回動支持部側に向けて開放した複数の係合凹部を有して前記回動支持部に回動可能に支持される非磁性材料製のロータと、複数の前記係合凹部のうち選択された係合凹部に係合する係合位置ならびに選択された前記係合凹部との係合を解除する係合解除位置間での移動を可能とするとともに前記係合位置側に向けて弾発付勢されて複数の前記摺動凹部のうち選択された摺動凹部に摺動可能に嵌合される棒状の第１の永久磁石と、前記嵌合凹部に位置決め嵌合可能なマグネットキーとを備え、前記マグネットキーには、それの前記嵌合凹部への位置決め嵌合状態で前記第１の永久磁石を前記係合位置から係合解除位置に駆動する第２の永久磁石が、該第１の永久磁石に対応する位置に保持されるマグネット錠において、前記嵌合凹部の形状を同一とするとともに、前記摺動凹部および前記係合凹部を相互に対応させた前記ケース部材および前記ロータの組み合わせが、前記ロータの回動軸線を中心とする１つの仮想円上に配置される前記摺動凹部および前記係合凹部の個数および配置の少なくとも一方が異なるようにして複数組設定されることを特徴とする。
【０００６】
また請求項２記載の発明は、請求項１記載の発明の構成に加えて、同一の個数である前記摺動凹部および前記係合凹部が前記仮想円の周方向に沿って相互に異なった位置に配置されるようにして、前記複数組の組み合わせが設定されることを特徴とする。
【０００７】
請求項３記載の発明は、請求項２記載の発明の構成に加えて、前記仮想円の周方向に沿う間隔を同一とした４個の前記摺動凹部および前記係合凹部が、前記仮想円の数方向に４５度ずれるようにして２組の前記組み合わせが設定されることを特徴とする。
【０００８】
さらに請求項４記載の発明は、請求項１〜３のいずれかに記載の発明の構成に加えて、シリンダ錠の前端中央部に開口されるキー孔に対応した挿入孔を有して前記シリンダ錠のシリンダボディに固定される前記ケーシング内に収納されるとともに、前記挿入孔を閉鎖する閉鎖位置ならびに前記挿入孔を開放する開放位置間で作動することを可能としたシャッター板に、前記ロータが連結されることを特徴とする。
【０００９】
なお実施例の永久磁石２８が本発明の第１の永久磁石に対応し、実施例の永久磁石４２が本発明の第２の永久磁石に対応する。
【発明の効果】
【００１０】
請求項１〜４記載の発明によれば、嵌合凹部の形状を同一とするとともに、摺動凹部および係合凹部を相互に対応させたケース部材およびロータの組み合わせが、ロータの回動軸線を中心とする１つの仮想円上に配置される摺動凹部および係合凹部の個数および配置の少なくとも一方が異なるようにして複数組設定されるので、個数および配置の少なくとも一方が異なる摺動凹部および係合凹部の複数組において、第１の永久磁石の配置個数ならびに磁極配置をそれぞれに選択することで、一つの形状の嵌合凹部に嵌合可能なマグネットキーの種類を増大することが可能である。しかもロータの回動軸線を中心とする１つの仮想円上での摺動凹部および係合凹部の個数および配置の少なくとも一方を異ならせて複数組のケース部材およびロータの組み合わせを設定するだけであるので、ロータおよび支持突部の直径を大きくすることが不要であり、マグネット錠の大型化を回避することができる。また前記ケース部材および前記ロータを型成形する金型装置のうち前記摺動凹部および前記係合凹部を形成する部分だけを別金型とするだけで複数組のケース部材およびロータを準備することが可能であり、型制作費の増大を抑えることができる。
【００１１】
また特に請求項４記載の発明によれば、シリンダ錠のシャッター装置用として用いるにあたって、マグネット錠の大型化およびコスト高を回避することができる。
【発明を実施するための最良の形態】
【００１２】
以下、本発明の実施の形態を、添付の図面に示した本発明の一実施例に基づいて説明する。
【００１３】
図１〜図９は本発明の一実施例を示すものであり、図１はシャッター板が閉鎖位置に在ってマグネットキーを嵌合する前の状態でのシリンダ錠の保護装置の縦断側面図であって図３の１−１線に沿う断面図、図２はシャッター板が閉鎖位置に在ってマグネットキーを嵌合した状態でのシリンダ錠の保護装置の縦断側面図、図３は図１の３−３線矢視図、図４は図１の４−４線断面図、図５は図１の５−５線断面図、図６はシャッター板が開放位置に在る状態での図４に対応する断面図、図７はマグネットキーの一部切欠き側面図、図８は図３の８−８線断面図、図９は図４で示すロータおよびケース部材とは異なる組み合わせを示すための図４に対応した断面図である。
【００１４】
先ず図１および図２において、車両たとえば自動二輪車用のシリンダ錠１５のシリンダボディ１６は、車体フレームのヘッドパイプ（図示せず）に設けられており、このシリンダボディ１６の前端部は、車体フレーム側に固定されるケーシング１８で覆われる。該ケーシング１８は、シリンダボディ１６の前端部に取付けられる非磁性材料製のケース部材１９と、該ケース部材１９に取付けられる非磁性材料製のカバー部材２０とから成る。
【００１５】
図３を併せて参照して、ケーシング１８には、シリンダ錠１５の前端中央部に開口されるキー孔１７に対応した挿入孔２１が設けられる。この挿入孔２１は、ケース部材１９およびカバー部材２０にそれぞれ同軸に設けられた透孔２２，２３で構成されており、透孔２３の外端部は図示しないキーの挿入を容易とするためにテーパ状に形成される。
【００１６】
さらに図４〜図６を併せて参照して、ケーシング１８内には、前記挿入孔２１を閉鎖する閉鎖位置（図４および図５の位置）ならびに前記挿入孔２１を開放する開放位置（図６の位置）間でのスライド作動を可能としたシャッター板２４が収納される。
【００１７】
このシャッター板２４のスライド作動は、ケーシング１８に配設されるマグネット錠２５が備える嵌合凹部２７に、図２で示すようにマグネットキー３８を嵌合することで許容されるものであり、マグネット錠２５は、前記ケーシング１８と、前記シャッター板２４とは別体に形成されて前記ケーシング１８に回動可能に収容されるとともに前記嵌合凹部２７が設けられるロータ２６と、該ロータ２６に係合可能として前記ケーシング１８のケース部材１９に嵌合される複数個たとえば３個の永久磁石２８…とを備える。
【００１８】
ケーシング１８のケース部材１９は、カバー部材２０側に突出した横断面円形の回動支持部２９を一体に有して型成形されており、該回動支持部２９に対応する部分でカバー部材２０には円形の開口部３０が設けられる。
【００１９】
ロータ２６は、前記回動支持部２９の先端に対向する隔壁部３１を軸方向中間部に有して非磁性材料による型成形で略円筒状に形成されており、Ｏリング３２を回動支持部２９の基部との間に介在させて該回動支持部２９で回動可能に支承され、ロータ２６の外端は前記開口部３０に臨むように配置される。
【００２０】
シャッター板２４は、図４および図５で示す閉鎖位置と、図６で示す開放位置との間でのスライド作動を可能としてケーシング１８のケース部材１９およびカバー部材２０間に挟まれるものであり、ケース部材１９には、シャッター板２４の全面がケース部材１９に摺接することで摩擦抵抗が大きくなることを回避するために、複数個たとえば３個の突条３４Ａ，３４Ｂ，３４Ｃがシャッター板２４に摺接するようにして突設される。
【００２１】
ところで、ロータ２６の嵌合凹部２７は、たとえば変則六角形の横断面形状を有するように形成され、また嵌合凹部２７の略中心部には突部３５が突設される。而して嵌合凹部２７の横断面形状に対応した横断面形状を有するとともに前記突部３５を嵌合せしめる凹部３６を有するマグネットキー３８のみを嵌合凹部２７に嵌合可能である。
【００２２】
前記回動支持部２９の先端には、たとえば正方形の各角部に対応した複数個たとえば４個の摺動凹部３７…が、ロータ２６の回動軸線すなわち回動支持部２９の軸線を中心とする１つの仮想円Ｃ上に位置するとともにロータ２６側に開口するようにして設けられており、各摺動凹部３７…は、前記仮想円Ｃの周方向に沿って等間隔すなわち９０度ずつに間隔をあけて配置される。
【００２３】
各摺動凹部３７…のうち選択された摺動凹部３７…たとえば３個の摺動凹部３７…には、ロータ２６側の磁極配置が適宜の組み合わせとなるようにして棒状の永久磁石２８…がそれぞれ摺動可能に嵌合され、選択された前記摺動凹部３７…の底部および各永久磁石２８…間には、各永久磁石２８…を回動支持部２９の先端から突出させる側にばね付勢するばね３９…がそれぞれ介設される。
【００２４】
ロータ２６の隔壁部３１には、前記各永久磁石２８…の一部を係合させる係合凹部４０…が設けられており、各永久磁石２８…の一部が係合凹部４０…にそれぞれ係合している状態では、ロータ２６の回動作動が阻止されることになる。すなわち前記仮想円Ｃ上に配置される複数たとえば４個の前記係合凹部４０…が、該仮想円Ｃの周方向に沿って等間隔をあけて前記隔壁部３１に設けられており、前記永久磁石２８…は、前記係合凹部４０…のうち選択された係合凹部４０…たとえば３個の係合凹部４０…に係合する係合位置ならびに選択された前記係合凹部４０…との係合を解除する係合解除位置間での移動を可能とするとともに前記係合位置側に向けて弾発付勢されて複数の前記摺動凹部３７…のうち選択された摺動凹部３７…に摺動可能に嵌合される。
【００２５】
ロータ２６の下部は、嵌合凹部２７に入った水を排出するための排出溝６８を形成するようにして切欠かれており、この排出溝６８に通じる排出通路６９が、ケース部材１９およびカバー部材２０の下部間に形成される。
【００２６】
図７において、マグネットキー３８は、シリンダ錠１５のキー孔１７に挿入されるメカニカルキー６６の摘まみ部６７に付設されるものであり、ロータ２６における嵌合凹部２７の内周形状に対応した外周形状を有するように形成される。
【００２７】
このマグネットキー３８には、前記回動支持部２９に設けられる複数の摺動凹部３７…ならびに前記ロータ２６の隔壁部３１に設けられた複数の係合凹部４０…に対応した複数の収容凹部４１…が、ロータ２６の隔壁部３１側に開口するようにして設けられ、前記収容凹部４１…のうち前記ケース部材１９およびロータ２６側の永久磁石２８…の配置に対応した位置に配置される複数個たとえば３個の収容凹部４１…に、棒状の永久磁石４２…がそれぞれ収容される。また各収容凹部４１…の開口端は、マグネットキー３８に固定される非磁性材料製の閉塞板４３で閉じられる。
【００２８】
マグネットキー３８に配設される各永久磁石４２…は、回動支持部２９側の各永久磁石２８…のロータ２６側の磁極と同一の磁極がロータ２６側に配置されるようにして収容凹部４１…に収容されるものであり、正規のマグネットキー３８が嵌合凹部２７に嵌合されたときには、図２で示すように、同一磁極の反発力によって、回動支持部２９側の永久磁石２８…はばね３９…のばね力に抗して係合凹部４０…から離脱するように摺動凹部３７…に押し込まれて係合解除位置となる側に駆動され、これによりロータ２６の回動作動が許容されることになる。
【００２９】
ロータ２６は、リンク機構４４を介してシャッター板２４の一端部に連結されるものであり、該リンク機構４４は、シャッター板２４の一端側に延びるようにしてロータ２６の外周に一体に設けられる連結アーム４５と、ロータ２６の回動軸線と平行な軸線を有して連結アーム４５の先端に設けられた連結軸４６と、該連結軸４６を回動可能に嵌合させるようにしてシャッター板２４の一端に設けられる連結孔４７とで構成される。
【００３０】
このようなリンク機構４４によれば、ロータ２６の回動作動が許容されている状態で、ロータ２６が回動すると、そのロータ２６に追随してシャッター板２４がスライド作動する。しかもシャッター板２４の開放位置では回動支持部２９の各永久磁石２８…をロータ２６の各係合凹部４０…に係合不能とするように、シャッター板２４の閉鎖位置および開放位置間でのスライド作動範囲に対応してロータ２６の回動範囲が定められる。
【００３１】
ケーシング１８のケース部材１９およびシャッター板２４間には、閉鎖位置および開放位置間でのシャッター板２４のスライド作動をガイドするガイド手段４８が設けられるものであり、該ガイド手段４８は、シャッター板２４に植設されるガイドピン４９と、該ガイドピン４９を摺動自在に嵌合させるようにしてケース部材１９に設けられるガイド孔５０とで構成される。而してシャッター板２４は、ガイドピン４９がガイド孔５０内を移動するようにしてスライド作動する。
【００３２】
図８に特に注目して、ケーシング１８のケース部材１９と、ロータ２６との間には、シャッター板２４の閉鎖位置および開放位置に対応したロータ２６の回動限を定めるクリック機構５１が設けられており、このクリック機構５１は、前記連結アーム４５とは反対側でロータ２６の外周に一体に設けられた鍔部５２に対向して開口するようにしてケース部材１９に設けられる有底の収納穴５３と、該収納穴５３に摺動可能に嵌合されるボール５４と、該ボール５４を前記鍔部５２側に付勢するばね力を発揮するようにして収納穴５３に収納されるばね５５と、シャッター板２４が閉鎖位置にあるときに前記ボール５４を係合させるようにして鍔部５２に設けられる係合溝５６と、シャッター板２４が開放位置にあるときに前記ボール５４を係合させるようにして鍔部５２に設けられる係合溝５７とを備える。
【００３３】
ケーシング１８のケース部材１９およびシャッター板２４間には、シャッター板２４を開放位置で弾発的に保持する開放位置保持機構６０が設けられるものであり、この開放位置保持機構６０は、ケーシング１８のケース部材１９に突設された突部６１に一端が装着されるとともに他端には円弧状の係合部６２ａが設けられる板ばね６２と、開放位置にある状態で前記係合部６２ａを係合させるようにして前記ガイドピン４９の近傍でシャッター板２４の外周に設けられる係止部６３とで構成され、図６で示すようにシャッター板２４が開放位置にあるときに、係止部６３に係合部６２ａが弾発的に係合し、シャッター板２４を開放位置に保持することが可能である。
【００３４】
また開放位置保持機構６０でシャッター板２４が開放位置に保持されている状態で、閉鎖位置側への手動操作力をシャッター板２４に加えたときには、係止部６３への係合部６２ａの弾発係合を解除するように板ばね６２を撓ませることができ、それによりシャッター板２４を閉鎖位置側に回動することが可能である。
【００３５】
ロータ２６の前記鍔部５２には、ケース部材１９とは反対側に突出するピン状の操作ノブ６４が設けられ、この操作ノブ６４を貫通させる貫通孔６５が、たとえば開口部３０に連なるようにしてケーシング１８のカバー部材２０に設けられる。しかも貫通孔６５は、シャッター板２４の閉鎖位置および開放位置間でのスライド作動に伴う前記操作ノブ６４の移動を許容するように形成される。
【００３６】
ところで前記マグネット錠２５を構成するにあたっては、ロータ２６における嵌合凹部２７の形状を同一とするとともに前記摺動凹部３７…および前記係合凹部４０…を相互に対応させたケース部材１９およびロータ２６の組み合わせが、前記仮想円Ｃ上に配置される前記摺動凹部３７…および前記係合凹部４０…の個数および配置の少なくとも一方、この実施例では前記配置が異なるようにして複数組たとえば２組設定される。
【００３７】
すなわち同一の個数である４個の摺動凹部３７…および係合凹部４０…が仮想円Ｃの周方向に相互に異なった位置に配置されるようにして、ケース部材１９およびロータ２６の組み合わせが２組設定されるものであり、仮想円Ｃの周方向に沿う間隔を同一とした４個の摺動凹部３７…および係合凹部４０…が、図４〜図６で示すように配置される組み合わせと、図９で示すように、摺動凹部３７…および係合凹部４０…が図４〜図６で示した配置から仮想円Ｃの周方向に４５度ずれる組み合わせとが設定される。
【００３８】
次にこの実施例の作用について説明すると、嵌合凹部２７の形状を同一とするとともに、摺動凹部３７および係合凹部４０を相互に対応させたケース部材１９およびロータ２６の組み合わせが、ロータ２６の回動軸線を中心とする１つの仮想円Ｃ上に配置される摺動凹部３７…および係合凹部４０…の個数および配置の少なくとも一方が異なるようにして複数組設定されるものであり、この実施例では、仮想円Ｃの周方向に沿う間隔を同一とした４個の摺動凹部３７…および係合凹部４０…の組み合わせが仮想円Ｃの周方向に４５度ずれて２組設定されるので、これらの２組で摺動凹部３７…に嵌合される永久磁石２８…の磁極配置をそれぞれに選択することで、一つの形状の嵌合凹部２７に嵌合可能なマグネットキー３８の種類を増大することが可能である。
【００３９】
すなわち４個の摺動凹部３７…のうち選択された３個の摺動凹部３７…に永久磁石２８…を摺動可能に嵌合せしめ、それらの永久磁石２８…を３個の係合凹部４０…に係脱可能に係合せしめるのであるが、永久磁石２８…に磁極の配置によって１つのケース部材１９およびロータ２６の組み合わせでたとえば２４種類のマグネットキー３８…を用いることができるとしたときに、その組み合わせとは摺動凹部３７…および係合凹部４０…が仮想円Ｃの周方向に４５度ずれる組み合わせでもたとえば２４種類のマグネットキー３８…を用いることが可能であり、マグネットキー３８…の種類を４８種類に増大することが可能となる。
【００４０】
しかもロータ２６の回動軸線を中心とする１つの仮想円Ｃ上での摺動凹部３７…および係合凹部４０…の配置を異ならせて複数たとえば２組のケース部材１９およびロータ２６の組み合わせを設定するだけであるので、ロータ２６と、ケース部材１９における支持突部２９の直径を大きくすることが不要であり、マグネット錠２５の大型化を回避することができる。
【００４１】
また前記ケース部材１９および前記ロータ２６を型成形する金型装置のうち前記摺動凹部３７…および前記係合凹部４０…を形成する部分だけを別金型とするだけで複数組たとえば２組ののケース部材１９およびロータ２６を準備することが可能であり、型制作費の増大を抑えることができる。
【００４２】
さらにシリンダ錠１５のシャッター装置用としてマグネット錠２５が用いられるあたって、マグネット錠２５の大型化およびコスト高を回避することができる。
【００４３】
以上、本発明の実施例を説明したが、本発明は上記実施例に限定されるものではなく、特許請求の範囲に記載された本発明を逸脱することなく種々の設計変更を行うことが可能である。
【００４４】
たとえば上記実施例では、仮想円Ｃ上に配置される摺動凹部３７…および係合凹部４０…の配置を異ならせるようにしたが、前記仮想円Ｃ上の摺動凹部３７…および係合凹部４０…の個数を異ならせるようにしてもよく、また仮想円Ｃ上の摺動凹部３７…および係合凹部４０…の個数および配置の両方を異ならせるようにしてもよい。
【図面の簡単な説明】
【００４５】
【図１】シャッター板が閉鎖位置に在ってマグネットキーを嵌合する前の状態でのシリンダ錠の保護装置の縦断側面図であって図３の１−１線に沿う断面図である。
【図２】シャッター板が閉鎖位置に在ってマグネットキーを嵌合した状態でのシリンダ錠の保護装置の縦断側面図である。
【図３】図１の３−３線矢視図である。
【図４】図１の４−４線断面図である。
【図５】図１の５−５線断面図である。
【図６】シャッター板が開放位置に在る状態での図４に対応する断面図である。
【図７】マグネットキーの一部切欠き側面図である。
【図８】図３の８−８線断面図である。
【図９】図４で示すロータおよびケース部材とは異なる組み合わせを示すための図４に対応した断面図である。
【符号の説明】
【００４６】
１５・・・シリンダ錠
１６・・・シリンダボディ
１７・・・キー孔
１８・・・ケーシング
１９・・・ケース部材
２０・・・カバー部材
２１・・・挿入孔
２４・・・シャッター板
２５・・・マグネット錠
２６・・・ロータ
２７・・・嵌合凹部
２８・・・第１の永久磁石
２９・・・回動支持部
３０・・・開口部
３７・・・摺動凹部
３８・・・マグネットキー
４０・・・係合凹部
４１・・・収容凹部
４２・・・第２の永久磁石
Ｃ・・・仮想円                                                                                
【図１】
0005189346.tif 000002
【図２】
0005189346.tif 000003
【図３】
0005189346.tif 000004
【図４】
0005189346.tif 000005
【図５】
0005189346.tif 000006
【図６】
0005189346.tif 000007
【図７】
0005189346.tif 000008
【図８】
0005189346.tif 000009
【図９】
0005189346.tif 000010